(57)【要約】【課題】高いコントラストが得られ、良好な視野角特性により均一な画像を得ることを可能とするスクリーン、及びその製造方法を提供すること。【解決手段】基材シート１と、基材シート１上に設けられ、特定の波長領域の光を反射させ、特定の波長領域以外の波長領域の光を透過させる波長選択性を持たせた波長選択層２と、を有し、波長選択層２は、波長選択性を持たせた微小片１１を分散させて構成され、特定の波長領域が、互いに異なる少なくとも二つの波長領域である。【選択図】図１
2010145770.tif 000002
【特許請求の範囲】
【請求項１】
基材シートと、
前記基材シート上に設けられ、特定の波長領域の光を反射させ、前記特定の波長領域以外の波長領域の光を透過させる波長選択性を持たせた波長選択層と、を有し、
前記波長選択層は、前記波長選択性を持たせた微小片を分散させて構成されることを特徴とするスクリーン。
【請求項２】
前記特定の波長領域が、互いに異なる少なくとも二つの波長領域であることを特徴とする請求項１に記載のスクリーン。
【請求項３】
前記微小片は、前記少なくとも二つの波長領域の光を反射させる層構造を有することを特徴とする請求項２に記載のスクリーン。
【請求項４】
前記層構造は、少なくとも、第１の波長領域の光を反射させる第１層と、第２の波長領域の光を反射させる第２層と、を重ね合わせて構成されることを特徴とする請求項３に記載のスクリーン。
【請求項５】
前記微小片は、少なくとも、第１の波長領域の光を反射させる第１色光用微小片と、第２の波長領域の光を反射させる第２色光用微小片と、を有することを特徴とする請求項２に記載のスクリーン。
【請求項６】
前記基材シートは、光を吸収する光吸収性部材を用いて構成されることを特徴とする請求項１〜５のいずれか一項に記載のスクリーン。
【請求項７】
前記波長選択層へ入射する光と、前記波長選択層で反射した光とを散乱させる光散乱層を有することを特徴とする請求項１〜６のいずれか一項に記載のスクリーン。
【請求項８】
前記微小片は、誘電体多層膜を用いて構成されることを特徴とする請求項１〜７のいずれか一項に記載のスクリーン。
【請求項９】
特定の波長領域の光を反射させ、前記特定の波長領域以外の波長領域の光を透過させる波長選択性を持たせた波長選択層を有するスクリーンの製造方法であって、
基材シート上に、前記波長選択性を持たせた微小片を分散させた前記波長選択層を形成する工程を含むことを特徴とするスクリーンの製造方法。
【請求項１０】
前記波長選択層の上に、光を散乱させる光散乱層を形成する工程を含むことを特徴とする請求項９に記載のスクリーンの製造方法。
【請求項１１】
特定の波長領域の光を反射させ、前記特定の波長領域以外の波長領域の光を透過させる波長選択性を持たせた波長選択層を有するスクリーンの製造方法であって、
光を散乱させる光散乱層の上に、前記波長選択性を持たせた微小片を分散させた前記波長選択層を形成する工程と、
前記波長選択層の上に、基材シートを形成する工程と、を含むことを特徴とするスクリーンの製造方法。
【請求項１２】
前記波長選択層を形成する工程は、前記微小片を混入した硬化性材料を塗布する工程を含むことを特徴とする請求項９〜１１のいずれか一項に記載のスクリーンの製造方法。
【請求項１３】
前記波長選択層を形成する工程は、前記微小片を散乱させた面の方向に、前記微小片の向きを揃えるための工程を含むことを特徴とする請求項９〜１１のいずれか一項に記載のスクリーンの製造方法。
【請求項１４】
前記微小片を形成する工程を含むことを特徴とする請求項９〜１３のいずれか一項に記載のスクリーンの製造方法。
【請求項１５】
前記微小片を形成する工程は、
フィルタ形成用基板の表面に前記波長選択性を持つフィルタを形成する工程と、
前記フィルタ形成用基板から前記フィルタを剥離する工程と、
剥離された前記フィルタを粉砕する工程と、を含むことを特徴とする請求項１４に記載のスクリーンの製造方法。
【発明の詳細な説明】
【技術分野】
【０００１】
本発明は、スクリーン及びその製造方法、特に、画像信号に応じた光を反射させることにより画像を表示するスクリーンの技術に関する。
【背景技術】
【０００２】
いわゆるフロント投写型のプロジェクタは、投写光を反射させる反射型のスクリーンと組み合わせて用いられる。室内照明による照明光などの外光が存在する環境下では、投写光とともに外光もスクリーンで反射することにより、画像のコントラストが低下する場合がある。かかる問題に対して、例えば、投写光に対応する特定の波長の光を選択的に反射させる多層膜や干渉膜を用いたスクリーンの技術が提案されている（例えば、特許文献１〜３参照）。
【０００３】
【特許文献１】特開２００３−２７０７２５号公報
【特許文献２】特開２００５−１８９７２４号公報
【特許文献３】特開２００７−２５６４７９号公報
【発明の開示】
【発明が解決しようとする課題】
【０００４】
無機材料からなるフィルタを被照射面の全体について成膜する場合、フィルタは折り曲げによって破損することとなるため、スクリーンを巻き取り可能とすることが困難である。このため、スクリーンの収納や持ち運びに支障が生じることとなる。また、有機材料からなるフィルタを被照射面の全体について成膜する場合、フィルタを折り曲げ可能にできる一方、被照射面が大型になるほど成膜精度の維持が難しくなる。このため、波長選択性にばらつきが生じ易くなる。さらに、良好な視野角特性を得るためにスクリーンで投写光を散乱させる場合に、フィルタへ入射する光にある程度の角度分布が生じる。フィルタの波長選択性は光の入射角度に依存するため、光の角度分布が大きくなるほど、フィルタで反射する光の波長や強度が変化することとなる。このため、投写光を散乱させるほど、色や明るさにムラが少ない均一な画像を得ることが困難になる。本発明は、上述の問題に鑑みてなされたものであり、高いコントラストが得られ、良好な視野角特性により均一な画像を得ることを可能とするスクリーン、及びその製造方法を提供することを目的とする。
【課題を解決するための手段】
【０００５】
上述した課題を解決し、目的を達成するために、本発明に係るスクリーンは、基材シートと、基材シート上に設けられ、特定の波長領域の光を反射させ、特定の波長領域以外の波長領域の光を透過させる波長選択性を持たせた波長選択層と、を有し、波長選択層は、波長選択性を持たせた微小片を分散させて構成されることを特徴とする。
【０００６】
投写光が用いる光の波長領域について波長選択性を持たせることにより、投写光を反射させるとともに外光の反射を抑制可能とし、高いコントラストを得ることが可能となる。波長選択性を持たせた微小片を分散させることで、被照射面の全体にフィルタを形成する場合に対して、波長選択性のばらつきを低減できる。また、ある程度向きを変化させて微小片を分散させることにより、微小片で反射した光を散乱させる。これにより、高いコントラストが得られ、良好な視野角特性により均一な画像を得ることが可能となる。
【０００７】
また、本発明の好ましい態様としては、特定の波長領域が、互いに異なる少なくとも二つの波長領域であることが望ましい。これにより、複数の色光について波長選択性を持たせることができる。
【０００８】
また、本発明の好ましい態様としては、微小片は、少なくとも二つの波長領域の光を反射させる層構造を有することが望ましい。これにより、少なくとも二つの色光を選択して反射させる微小片を得られる。
【０００９】
また、本発明の好ましい態様としては、層構造は、少なくとも、第１の波長領域の光を反射させる第１層と、第２の波長領域の光を反射させる第２層と、を積層させて構成されることが望ましい。これにより、少なくとも二つの波長領域の光を反射させる層構造を容易に得ることができる。
【００１０】
また、本発明の好ましい態様としては、微小片は、少なくとも、第１の波長領域の光を反射させる第１色光用微小片と、第２の波長領域の光を反射させる第２色光用微小片と、を有することが望ましい。これにより、少なくとも第１の波長領域の光及び第２の波長領域の光を選択して反射させる波長選択層を容易に得ることができる。
【００１１】
また、本発明の好ましい態様としては、基材シートは、光を吸収する光吸収性部材を用いて構成されることが望ましい。これにより、波長選択層を透過した光の反射と、スクリーンのうち基材シート側へ照射する光の透過とを低減可能とし、さらに高いコントラストを得ることができる。
【００１２】
また、本発明の好ましい態様としては、波長選択層へ入射する光と、波長選択層で反射した光とを散乱させる光散乱層を有することが望ましい。これにより、良好な視野角特性を得ることができる。
【００１３】
また、本発明の好ましい態様としては、微小片は、誘電体多層膜を用いて構成されることが望ましい。これにより、高精度な波長選択性を有する微小片を容易に得ることができる。
【００１４】
さらに、本発明に係るスクリーンの製造方法は、特定の波長領域の光を反射させ、特定の波長領域以外の波長領域の光を透過させる波長選択性を持たせた波長選択層を有するスクリーンの製造方法であって、基材シート上に、波長選択性を持たせた微小片を分散させた波長選択層を形成する工程を含むことを特徴とする。これにより、高いコントラストが得られ、良好な視野角特性により均一な画像を得ることが可能なスクリーンを製造できる。
【００１５】
また、本発明の好ましい態様としては、波長選択層の上に、光を散乱させる光散乱層を形成する工程を含むことが望ましい。これにより、良好な視野角特性を得られるスクリーンを製造できる。
【００１６】
さらに、本発明に係るスクリーンの製造方法は、特定の波長領域の光を反射させ、特定の波長領域以外の波長領域の光を透過させる波長選択性を持たせた波長選択層を有するスクリーンの製造方法であって、光を散乱させる光散乱層の上に、波長選択性を持たせた微小片を分散させた波長選択層を形成する工程と、波長選択層の上に、基材シートを形成する工程と、を含むことを特徴とする。これにより、高いコントラストが得られ、良好な視野角特性により均一な画像を得ることが可能なスクリーンを製造できる。
【００１７】
また、本発明の好ましい態様としては、波長選択層を形成する工程は、微小片を混入した硬化性材料を塗布する工程を含むことが望ましい。これにより、微小片を分散させた波長選択層を形成することができる。また、重力を用いて、波長選択層を形成する面の方向に微小片の向きをある程度揃えることを可能とし、スクリーンの被照射面へ入射する投写光に対して高い波長選択性を持たせる構成にできる。
【００１８】
また、本発明の好ましい態様としては、波長選択層を形成する工程は、微小片を散乱させた面の方向に、微小片の向きを揃えるための工程を含むことが望ましい。微小片の向きをある程度揃えることで、スクリーンの被照射面へ入射する投写光に対して高い波長選択性を持たせる構成にできる。
【００１９】
また、本発明の好ましい態様としては、微小片を形成する工程を含むことが望ましい。これにより、波長選択層に分散させる微小片を得ることができる。
【００２０】
また、本発明の好ましい態様としては、微小片を形成する工程は、フィルタ形成用基板の表面に波長選択性を持つフィルタを形成する工程と、フィルタ形成用基板からフィルタを剥離する工程と、剥離されたフィルタを粉砕する工程と、を含むことが望ましい。これにより、微小片を容易に形成できる。
【発明を実施するための最良の形態】
【００２１】
以下に図面を参照して、本発明の実施例を詳細に説明する。
【実施例１】
【００２２】
図１は、本発明の実施例１に係るスクリーンの断面模式図である。本実施例に係るスクリーンは、基材シート１、波長選択層２、光散乱層３を有する。基材シート１は、光を吸収する光吸収性部材を用いて構成された平行平板である。光吸収性部材としては、例えば、黒色の樹脂部材を用いる。波長選択層２は、基材シート１のうち投写光を入射させる側の面に設けられている。波長選択層２は、特定の波長領域の光を反射させ、前記特定の波長領域以外の波長領域の光を透過させる波長選択性を持つ。波長選択層２は、波長選択性を持たせた微小片１１を透明部材に分散させて構成されている。
【００２３】
光散乱層３は、波長選択層２のうち投写光を入射させる側の面に設けられている。光散乱層３は、波長選択層２へ入射する光と、波長選択層２で反射した光とを散乱させる。光散乱層３は、透明部材に光散乱材１２を分散させて構成されている。透明部材としては、例えば透明樹脂部材を用いる。光散乱材１２としては、例えばガラスビーズを用いる。光散乱材１２は、例えば、数十から数百μｍ程度の径をなしている。光散乱層３は、透明部材と光散乱材１２とで屈折率を異ならせることにより、光散乱材１２へ入射した光を、入射位置に依存した角度で散乱させる。
【００２４】
図２は、微小片１１の断面模式図である。微小片１１は、スクリーンの被照射面における画素より小さいことが望ましく、例えば、数百μｍ程度の大きさで形成されている。微小片１１は、誘電体多層膜を用いて構成されている。誘電体多層膜は、高屈折率部材の層と低屈折率部材の層とを交互に積層させた層構造をなしている。積層させる層の厚さは、所望とする波長選択性に応じて設定される。微小片１１を構成する誘電体多層膜は、特定の三つの波長領域の光を反射させ、それ以外の波長領域の光を透過させる。
【００２５】
図３は、微小片１１を構成する誘電体多層膜の反射特性の例を示す図である。誘電体多層膜の波長選択性は、投写光の波長領域に応じて設定されている。例えば、誘電体多層膜は、４６０ｎｍ（青色、Ｂ）付近、５３０ｎｍ（緑色、Ｇ）付近、６２０ｎｍ（赤色、Ｒ）付近にて反射率がピークとなるように形成されている。反射率のピーク同士の間では、４９０ｎｍ（青緑色）付近、５８０ｎｍ（黄色）付近にて反射率が低くなる。誘電体多層膜は、反射率が低い波長の光ほど高い透過率で透過させる。
【００２６】
図４は、スクリーンにおける投写光の散乱について説明する図である。光散乱層３を充填する透明部材と光散乱材１２との屈折率差は、散乱角が空気中換算で約±２０度となるように設定されているとする。また、微小片１１は、例えば、入射角±３０度の入射光に対して、透過及び反射特性の波長シフト量が±２５ｎｍ以内となっている。この場合、視野角±６０度でスクリーンから射出する光については波長の大きなずれを生じさせず、反射光の色の変化も少なくできる。微小片１１の向きは、微小片１１の各層の面方向と基材シート１上の面とが、例えば±１０度以内となるように、ある程度揃えられている。この場合、微小片１１で反射した光は、入射光に対して±２０度以内程度のばらつきを持って進行する。
【００２７】
プロジェクタからスクリーンへ入射した投写光は、光散乱層３において±２０度の範囲で散乱し、波長選択層２へ入射する。±２０度の範囲で散乱した光は、微小片１１での反射により±４０度の範囲へ散乱し、再び光散乱層３へ入射する。±４０度の範囲へ散乱した光は、光散乱層３を透過することで±６０度の範囲へ散乱し、スクリーンから射出する。このようにして、スクリーンで反射した投写光について、視野角１２０度程度を確保することが可能となる。
【００２８】
微小片１１を透過した光は、基材シート１へ吸収される。微小片１１において特定の波長領域の光のみを反射させ、他の波長領域の光を基材シート１へ吸収させることで、投写光を高い効率で反射させるとともに外光の反射を抑制させる。また、スクリーンのうち基材シート１側へ照射する光がある場合、基材シート１での吸収により、光散乱層３側への光の透過を低減させることも可能となる。観察者側へ投写光を効率良く進行させるとともに、観察者側への外光の進行を抑制させることにより、高いコントラストを得ることが可能となる。波長選択性を持たせた微小片１１を分散させることで、被照射面の全体にフィルタを形成する場合に対して、波長選択性のばらつきを低減できる。以上により、高いコントラストが得られ、良好な視野角特性により均一な画像を得ることができるという効果を奏する。本実施例に係るスクリーンは、特に、レーザやＬＥＤ等、比較的狭い波長領域の光を射出する光源を用いるプロジェクタと組み合わせる場合に適している。
【００２９】
微小片１１の波長選択性は、一般的なプロジェクタからの投写光の波長領域に基づいて設定しても良く、スクリーンと組み合わせて用いられるプロジェクタが決められている場合は、そのプロジェクタからの投写光の波長領域に応じて設定することが望ましい。微小片１１は、ＲＧＢの三色光を反射させる波長特性を持たせる場合に限られず、互いに異なる少なくとも二つの波長領域の光を反射させるものであれば良い。微小片１１は、例えば、ＲＧＢ以外の色光を反射させるものや、四つ以上の色光を反射させるものとしても良い。
【００３０】
微小片は、複数の色光を反射させるように層厚が設定された層構造の誘電体多層膜とする場合に限られない。例えば図５に断面模式図を示す微小片２０のように、Ｒ光を反射させる第１層２１、Ｇ光を反射させる第２層２２、Ｂ光を反射させる第３層２３を重ね合わせたものとしても良い。例えば、第１層２１は６２０ｎｍ、第２層２２は５３０ｎｍ、第３層２３は４６０ｎｍにて反射率がピークとなるように形成する。第１層２１、第２層２２、第３層２３を重ね合わせることで、図３を用いて説明した上記の微小片１１と同様の波長選択性を持つ微小片２０を形成できる。また、反射率のピークが一つとなる層を予め形成することで、反射率のピークが三つとなるように層厚を設定する場合に比較して層の数を少なくでき、誘電体多層膜の形成が容易となる。
【００３１】
微小片２０は、ＲＧＢの三色光について三つの層を重ね合わせるものに限られず、少なくとも、第１の波長領域の光を反射させる第１層と、第２の波長領域の光を反射させる第２層とを重ね合わせたものであれば良い。微小片２０は、例えば、ＲＧＢ以外の色光を反射させる層を有するものや、四つ以上の色光について四つ以上の層を重ね合わせたものとしても良い。
【００３２】
図６は、本実施例の変形例１に係るスクリーンの断面模式図である。本変形例は、Ｒ光用微小片３１、Ｇ光用微小片３２、Ｂ光用微小片３３を分散させることを特徴とする。例えば、Ｒ光用微小片３１は、６２０ｎｍにて反射率がピークとなるような反射特性を備える。Ｇ光用微小片３２は、５３０ｎｍにて反射率がピークとなるような反射特性を備える。Ｂ光用微小片３３は、４６０ｎｍにて反射率がピークとなるような反射特性を備える。Ｒ光用微小片３１、Ｇ光用微小片３２、Ｂ光用微小片３３を混合して分散させることにより、図３を用いて説明した上記の微小片１１と同様の波長選択性を持つ波長選択層２を形成できる。本変形例の場合も、誘電体多層膜の形成が容易となる。
【００３３】
波長選択層２に分散させる微小片は、ＲＧＢの三色光についてそれぞれ形成されたものである場合に限られない。少なくとも、第１の波長領域の光を反射させる第１色光用微小片と、第２の波長領域の光を反射させる第２色光用微小片とを分散させれば良く、ＲＧＢ以外の色光を反射させる微小片を用いても良い。また、四種以上の微小片を分散させることとしても良い。さらに、二以上の波長領域の光を反射させる微小片を混合しても良い。
【００３４】
図７は、本実施例の変形例２に係るスクリーンの断面模式図である。本変形例は、波長選択層の機能と光散乱層の機能とを備える波長選択散乱層４０を有することを特徴とする。波長選択散乱層４０は、基材シート１の入射側に設けられている。波長選択散乱層４０は、透明部材に微小片１１及び光散乱材１２を分散させて構成されている。光散乱材１２は、波長選択散乱層４０のうち光が入射する側に分布させる。微小片１１は、波長選択散乱層４０のうち基材シート１側に分布させる。これにより、上記の波長選択層２の機能と光散乱層３の機能とを、波長選択散乱層４０により実現させることができる。
【００３５】
誘電体多層膜は、波長選択精度や製造容易性などにおいて微小片として用いるのに適している。微小片は、波長選択性を持つものであれば誘電体多層膜に限られず、例えば、樹脂フィルタなどを用いても良い。光散乱層３は、光散乱材１２を分散させるものに限られない。光散乱層３は、光を分散可能であれば良く、例えば、光を散乱させる散乱面を有する構成や、屈折により光を拡散させるマイクロレンズアレイを有する構成などとしても良い。
【実施例２】
【００３６】
図８は、本発明の実施例２に係るスクリーンの製造方法の手順を説明する断面模式図である。工程ａでは、フィルタ形成用基板５０を用意する。フィルタ形成用基板５０は、例えば、ポリイミドを用いて構成された板状部材である。工程ｂでは、蒸着法により、フィルタ形成用基板５０の表面に誘電体多層膜フィルタ５１を形成する。誘電体多層膜フィルタ５１は、例えば、１０μｍ程度の厚みで形成される。工程ｃでは、フィルタ形成用基板５０から誘電体多層膜フィルタ５１を剥離する。
【００３７】
フィルタ形成用基板５０は、ポリイミドにより構成されたものに限られない。フィルタ形成用基板５０は、誘電体多層膜フィルタ５１を構成する材料との密着性が、工程ｂにおける蒸着において剥離しない程度であって、かつ工程ｃにける剥離ができるだけ容易であることが望ましい。フィルタ形成用基板５０としては、ポリイミドの他、アルミニウムやステンレス等の金属部材や樹脂部材を用いても良い。フィルタ形成用基板５０は、誘電体多層膜フィルタ５１との密着性を調整するために、表面処理を施すこととしても良い。
【００３８】
工程ｃにおいて、フィルタ形成用基板５０に熱を加えると同時に、フィルタ形成用基板５０へ機械的な応力を加えることにより、フィルタ形成用基板５０から誘電体多層膜フィルタ５１を剥離する。誘電体多層膜フィルタ５１は、剥離の際に割れても良い。誘電体多層膜フィルタ５１は、振動を加えて剥離しても良い。また、溶剤に対して可溶性を持つ樹脂部材によりフィルタ形成用基板５０を構成し、溶剤に浸漬させることによりフィルタ形成用基板５０を溶解させることとしても良い。
【００３９】
工程ｄでは、粉砕機等を用いて誘電体多層膜フィルタ５１を粉砕し、微小片１１を形成する。微小片１１は、例えば、１００μｍから５００μｍ程度の大きさにまで粉砕する。誘電体多層膜フィルタ５１を粉砕後、所望の大きさより細く粉砕されたものや大きいものから、所望の大きさに形成された微小片１１を分離させる工程を含めても良い。これにより、良好な反射特性を持つ波長選択層２を形成することが可能となる。
【００４０】
工程ｅでは、透明塗料に微小片１１を混入し、基材シート１上に塗布する。透明塗料は、溶剤の揮発により硬化する硬化性材料とする。透明塗料の硬化により、微小片１１を分散させた波長選択層２が形成される。ここで、溶剤の揮発前において低粘度の透明塗料を用いると、溶剤が揮発するまでに、重力の影響により微小片１１が倒れ、基材シート１面に沿うように微小片１１の向きが揃う。さらに、溶剤の揮発により透明塗料の厚みが減少するに従って、基材シート１面に沿うよう微小片１１の向きをさらに揃えることができる。
【００４１】
工程ｆでは、透明樹脂に光散乱材１２を混入し、波長選択層２上に塗布する。透明樹脂としては、例えば、光硬化性樹脂を用いる。光の照射により透明樹脂を硬化させることで、光散乱材１２を分散させた光散乱層３が形成される。光散乱層３は、予め形成することとし、接着剤を用いて波長選択層２に貼り合わせても良い。以上の手順を経て、上記実施例１で説明したスクリーンを製造する。
【００４２】
図９は、本実施例の変形例１に係るスクリーンの製造方法の手順を説明する断面模式図である。本変形例は、光散乱層３、波長選択層２、基材シート１の順に積層させることを特徴とする。工程ａから工程ｄは、図８を用いて説明した手順と同様である。工程ｅでは、光散乱材１２を分散させた光散乱層３の上に、微小片１１を混入させた透明塗料を塗布する。透明塗料の硬化により、微小片１１を分散させた波長選択層２が形成される。工程ｆでは、波長選択層２の上に光吸収性部材を塗布し、硬化させることにより、基材シート１を形成する。基材シート１は、予め形成することとし、接着剤を用いて波長選択層２に貼り合わせても良い。このようにして、上記実施例１で説明したスクリーンを製造する。
【００４３】
図１０は、本実施例の変形例２に係るスクリーンの製造方法の手順を説明する断面模式図である。本変形例は、微小片１１の向きを揃えるための工程を含むことを特徴とする。工程ａでは、基材シート１を用意する。工程ｂでは、基材シート１の上に接着剤５２を塗布する。接着剤５２は、例えば、光硬化性材料を用いる。また、硬化前の接着剤５２は、粘着性を有する。
【００４４】
工程ｃでは、硬化前の接着剤５２に微小片１１を散布する。ここでは、接着剤５２に微小片１１を吹き付けることにより、微小片１１を接着剤５２に貼り付かせる。工程ｄでは、微小片１１を散布した接着剤５２表面を柔軟性部材、例えば布５３を用いて擦る。布５３で擦ることで、基材シート１面に対して縦に貼り付いた微小片１１を横に倒し、或いは取り除く。本工程では、微小片１１を散乱させた基材シート１面の方向に、微小片１１の向きを揃える。なお、本工程は、必要に応じて何度か繰り返すこととしても良い。
【００４５】
工程ｅでは、光を照射させることにより接着剤５２を硬化させる。接着剤５２を硬化させることにより、微小片を分散させた波長選択層２が形成される。工程ｆでは、波長選択層２の上に、光散乱材１２を分散させた光散乱層３を形成する。このようにして、上記実施例１で説明したスクリーンを製造する。なお、接着剤５２は、光硬化性材料である場合に限られず、溶剤の揮発により硬化する硬化性材料としても良い。
【産業上の利用可能性】
【００４６】
以上のように、本発明に係るスクリーンは、フロント投写型のプロジェクタからの投写光を用いて画像を表示する場合に適している。
【図面の簡単な説明】
【００４７】
【図１】本発明の実施例１に係るスクリーンの断面模式図。
【図２】微小片の断面模式図。
【図３】誘電体多層膜の反射特性の例を示す図。
【図４】スクリーンにおける投写光の散乱について説明する図。
【図５】第１層、第２層、第３層を重ね合わせた微小片の断面模式図。
【図６】実施例１の変形例１に係るスクリーンの断面模式図。
【図７】実施例１の変形例２に係るスクリーンの断面模式図。
【図８】本発明の実施例２に係る製造方法の手順を説明する断面模式図。
【図９】実施例２の変形例１に係る製造方法の手順を説明する断面模式図。
【図１０】実施例２の変形例２に係る製造方法の手順を説明する断面模式図。
【符号の説明】
【００４８】
１  基材シート、２  波長選択層、３  光散乱層、１１  微小片、１２  光散乱材、２０  微小片、２１  第１層、２２  第２層、２３  第３層、３１  Ｒ光用微小片、３２  Ｇ光用微小片、３３  Ｂ光用微小片、４０  波長選択散乱層、５０  フィルタ形成用基板、５１  誘電体多層膜フィルタ、５２  接着剤、５３  布
【図１】
2010145770.tif 000003
【図２】
2010145770.tif 000004
【図３】
2010145770.tif 000005
【図４】
2010145770.tif 000006
【図５】
2010145770.tif 000007
【図６】
2010145770.tif 000008
【図７】
2010145770.tif 000009
【図８】
2010145770.tif 000010
【図９】
2010145770.tif 000011
【図１０】
2010145770.tif 000012